(57)【要約】【課題】遊技球の転動面上に出没する部材が引っ込んだ状態で、遊技球が転動面上に停留することを有利に回避することが出来る、新規な構造のパチンコ機を提供することを、目的とする。【解決手段】特別可動入賞装置３０に入賞した遊技球が特定入球口７８へ至る球経路において遊技球が転動する転動面８６に開口窓８４を形成し、かかる開口窓８４に臨む位置において回転可能に設けた回転体８８には、特定の回転位置において、開口窓８４を通じて球経路内に突出せしめられる突部９２と、特定の回転位置とは異なる回転位置において、開口窓８４内において開口窓８４の内縁形状に沿う外縁形状を有して転動面８６と同じ高さに位置せしめられることにより、開口窓８４を塞ぐ閉鎖面９４を形成した。【選択図】図２
2008264110.tif 000002
【特許請求の範囲】
【請求項１】
遊技球の始動入賞装置への入賞に基づいて入賞口が開放される特別可動入賞装置が設けられており、該特別可動入賞装置に入賞した遊技球が該特別可動入賞装置内に設けられた特定入球口に入球することによって、遊技者に有利な特別遊技状態が発生するパチンコ機において、
前記特別可動入賞装置に入賞した遊技球が前記特定入球口へ至る球経路において該遊技球が転動する転動面に開口窓が形成されていると共に、該開口窓に臨む位置には、一軸回りに回転可能な回転体が配されており、該回転体には、該回転体の回転中心軸線回りの周方向で異なる位置に、該開口窓を通じて該球経路内に突出せしめられて、該転動面に対して傾斜する傾斜面を備えた突部と、該開口窓内において該開口窓の内縁形状に沿う外縁形状を有して該転動面と同じ高さに位置せしめられて、該開口窓を塞ぐ閉鎖面とが形成されており、該回転体を回転駆動せしめる駆動機構によって該回転体を一軸回りに回転せしめて、該開口窓に臨む該回転体の周方向位置を変化させることにより、該突部が該開口窓から該球経路内に突出した状態と該開口窓が該閉鎖面によって塞がれた状態とが発現するようにしたことを特徴とするパチンコ機。
【発明の詳細な説明】
【技術分野】
【０００１】
本発明は、遊技球の始動入賞装置への入賞に基づいて入賞口が開放される特別可動入賞装置に入賞した遊技球が、かかる特別可動入賞装置内に設けられた特定入球口に入球することによって、遊技者に有利な特別遊技状態が発生するパチンコ機に関するものである。
【背景技術】
【０００２】
従来から、始動入賞装置に遊技球が入賞すると、それまで閉鎖されていた特別可動入賞装置の入賞口が開放されて、特別可動入賞装置への遊技球の入賞が可能になり、かかる特別可動入賞装置に入賞した遊技球が特別可動入賞装置内に設けられた特定入球口に入球することによって、遊技者に有利な特別遊技状態が発生するパチンコ機が知られている。
【０００３】
この種のパチンコ機においては、特別可動入賞装置に入賞した遊技球が特定入球口に入球するか否かが遊技者の最大の関心事になることから、特別可動入賞装置内での遊技球の動きに遊技者の興味を惹きつけるための工夫を施す必要がある。
【０００４】
そこで、特許文献１に記載されているように、転動面に形成されたスリットからリブを出没させることにより、転動面を転動する遊技球の転動方向を変化させるパチンコ機が提案されている。
【０００５】
しかしながら、特許文献１に記載のパチンコ機においては、リブの先端面が傾斜していることから、リブをスリット内に収容した状態で、リブの先端面がスリットの開口端面（転動面）よりも下方に位置せしめられることとなり、その結果、スリットの開口が殆どそのままの大きさで転動面に残ってしまう。それ故、転動面を転動する遊技球が、スリットの開口に嵌まり込んで停留してしまうおそれがある。
【０００６】
【特許文献１】特開２００７−１４３６０号公報
【発明の開示】
【発明が解決しようとする課題】
【０００７】
ここにおいて、本発明は、上述の如き事情を背景として為されたものであって、その解決課題とするところは、遊技球の転動面上に出没する部材が引っ込んだ状態で、遊技球が転動面上に停留することを有利に回避することが出来る、新規な構造のパチンコ機を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。
【０００９】
本発明は、遊技球の始動入賞装置への入賞に基づいて入賞口が開放される特別可動入賞装置が設けられており、特別可動入賞装置に入賞した遊技球が特別可動入賞装置内に設けられた特定入球口に入球することによって、遊技者に有利な特別遊技状態が発生するパチンコ機において、特別可動入賞装置に入賞した遊技球が特定入球口へ至る球経路において遊技球が転動する転動面に開口窓が形成されていると共に、開口窓に臨む位置には、一軸回りに回転可能な回転体が配されており、回転体には、回転体の回転中心軸線回りの周方向で異なる位置に、開口窓を通じて球経路内に突出せしめられて、転動面に対して傾斜する傾斜面を備えた突部と、開口窓内において開口窓の内縁形状に沿う外縁形状を有して転動面と同じ高さに位置せしめられて、開口窓を塞ぐ閉鎖面とが形成されており、回転体を回転駆動せしめる駆動機構によって回転体を一軸回りに回転せしめて、開口窓に臨む回転体の周方向位置を変化させることにより、突部が開口窓から球経路内に突出した状態と開口窓が閉鎖面によって塞がれた状態とが発現するようにしたことを、特徴とする。
【００１０】
このような本発明に従う構造とされたパチンコ機にあっては、特別可動入賞装置に入賞した遊技球が特定入球口へ至る球経路において遊技球が転動する転動面に開口窓が形成されており、かかる開口窓に臨む位置において一軸回りに回転可能に配された回転体が駆動機構によって回転せしめられると、回転体に形成された突部が、開口窓を通じて球経路内に突出せしめられるようになっていることから、転動面上を転動する遊技球を突部に接触させることが可能となる。これにより、転動面上を転動する遊技球に突部の傾斜面を上らせたり、転動面上を転動する遊技球を他の方向へ転がせたりすることが可能となる。その結果、転動面上を転動する遊技球の動きに変化をつけることが可能となる。
【００１１】
そこにおいて、本発明の回転体には、開口窓内において開口窓の内縁形状に沿う外縁形状を有して転動面と同じ高さに位置せしめられて、開口窓を塞ぐ閉鎖面が形成されていることから、突部が球経路内に突出していない状態で、開口窓の内周面と回転体の外周面との間に形成される隙間を十分に小さくすることが可能となる。これにより、遊技球の転動面上から閉鎖面上への滑らかな移動、更には、遊技球の閉鎖面上から転動面上への滑らかな移動を有利に実現することが可能となる。
【００１２】
従って、本発明のパチンコ機においては、遊技球の転動状態を変化させる突部が球経路内に突出していない状態で、遊技球が開口窓に嵌まり込んで停留してしまうことを有利に回避することが可能となる。
【００１３】
なお、本発明における突部は、傾斜面を備えているのであれば、その形状は、特に限定されるものではなく、例えば、蒲鉾形状や半球状，円錐台状，台形ブロック状，角錐台状，角錐状等が採用され得る。
【００１４】
そこにおいて、本発明における傾斜面は、平面であっても良いが、遊技球との衝撃的な衝突を緩和したり、遊技球の移動方向を、その勢いを殺すことなく、変更したり、遊技球の移動方向の変化を多様にすることが出来るという観点から、曲面であることが望ましい。
【００１５】
また、本発明において、突部が球経路内に突出した状態や開口窓が閉鎖面によって塞がれた状態が発現する周期（突部の出没周期）は、特に限定されるものではないが、回転体の回転周期（回転体が一周するために必要な時間）の半分以下であることが望ましい。これにより、回転体が回転している際に、遊技球が開口窓から落下してしまったり、遊技球が開口窓に嵌まり込んでしまい、かかる遊技球を回転体が噛み込んでしまう等の不具合を有利に回避することが可能となる。尤も、このような不具合は、開口窓や突部の大きさを適当に設計することによって、有利に回避することが出来る。
【００１６】
さらに、本発明における回転体は、同じ方向に連続して回転する必要はなく、所定の角度の範囲内で往復するようになっていても良い。
【００１７】
そこにおいて、本発明における回転体の回転方向は、回転体の突部に衝突する遊技球の転動方向と略一致していることが望ましい。これにより、遊技球の転動方向と反対側の方向に回転体が回転することによる不具合、例えば、遊技球が傾斜面を上りきることが出来なくなったり、回転体が遊技球を噛み込んでしまう等の不具合を有利に回避することが可能となる。
【００１８】
また、本発明においては、突部が球経路内に突出した状態と開口窓が閉鎖面によって塞がれた状態が交互に発現する必要はない。
【００１９】
さらに、本発明においては、突出高さや傾斜面の形状等が異なる複数の突部が回転体に形成されていても良い。
【発明を実施するための最良の形態】
【００２０】
以下、本発明を更に具体的に明らかにするために、本発明の実施形態について、図面を参照しつつ、詳細に説明する。
【００２１】
図１には、本発明の一実施形態としてのパチンコ機１０が示されている。このパチンコ機１０において機体の外郭を為す外枠１２の開口前面側には、縦長方形の中枠１４が開閉及び着脱自在に組み付けられている。また、中枠１４には、後述する遊技領域２８が形成された遊技盤１６が着脱自在に組み付けられており、かかる遊技盤１６に形成された遊技領域２８は、中枠１４に対して開閉可能に組み付けられた前枠１８によって保持されている透明板を通して遊技者に視認されるようになっている。そして、中枠１４に突設された操作ハンドル２０に対して回動可能に装着された操作レバー２２を遊技者が回動操作することにより、中枠１４に設けられた発射球貯留皿２４に貯留されている遊技球が、図示しない球送り機構を介して発射装置（図示せず）に送られた後、遊技領域２８に向けて発射されるようになっている。
【００２２】
続いて、中枠１４に組み付けられている遊技盤１６について説明する。この遊技盤１６は、表面に合成樹脂製のシートが被着された遊技板を備えており、かかる遊技板の表面側には、レールセット２６が固着されている。これにより、遊技盤１６には、レールセット２６によって囲まれた略円形の遊技領域２８が形成されている。
【００２３】
かかる遊技領域２８の略中央には、特別可動入賞装置としてのセンター役物３０が設けられている。このセンター役物３０は、図２乃至図４に示されているように、前方に開口する凹室３２を備えており、かかる凹室３２の開口端から外方に向かって突出する取付板３４によって、遊技板（遊技盤１６）に取り付けられるようになっている。
【００２４】
そこにおいて、センター役物３０には、凹室３２の上方において、閉鎖部材としての一対の羽根部材３６，３６が、それぞれ、一軸回りに傾動可能な状態で配されている。そして、一対の羽根部材３６，３６が起立せしめられた状態では、凹室３２の上方に設けられた入賞口３８が羽根部材３６，３６によって実質的に閉鎖されて、遊技球の入賞口３８への入賞が出来ないようにされている一方、一対の羽根部材３６，３６が傾動せしめられた状態では、入賞口３８が実質的に開放されて、遊技球の入賞口３８への入賞が許容されている。
【００２５】
なお、本実施形態では、遊技領域２８に設けられた始動入賞装置４０に遊技球が入賞することにより、一対の羽根部材３６，３６が所定の作動パターンに基づいて傾動せしめられるようになっている。
【００２６】
また、入賞口３８に入賞した遊技球は、従来から公知の近接スイッチによって構成されたカウントスイッチ４２，４３によって検出された後、凹室３２内に入ってくるようになっている。そして、凹室３２内に入ってきた遊技球は、凹室３２の上下方向の略中央に設けられて、凹室３２の手前側から奥側に向かって下る転動面を有する上側ステージ４４に落下して、かかる上側ステージ４４上を転動した後、凹室３２の底面に形成された下側ステージ４６に落下するようになっている。
【００２７】
そこにおいて、本実施形態では、上側ステージ４４から下側ステージ４６に落下する遊技球は、上側ステージ４４からの落下位置によっては、下側ステージ４６に直接落下することなく、一対の振分ステージ４８，４９の何れか一方に落下し、振分ステージ４８，４９上を転動してから、下側ステージ４６に落下することがある。
【００２８】
かかる一対の振分ステージ４８，４９は、凹室３２の幅方向（図２中の左右方向）に適当な間隔をあけた状態で、凹室３２の奥壁から前方に向かって突出するように設けられており、特に本実施形態では、各振分ステージ４８，４９は、遊技球が転動する転動面としての上面が、棟の境にして両方に流れをもつ切妻屋根の如き形状とされている。
【００２９】
そして、振分ステージ４８，４９に落下した遊技球は、振分ステージ４８，４９における転動面のうち棟よりも他の振分ステージ４９，４８側の位置する部分を転動する場合には、一対の振分ステージ４８，４９の間から下側ステージ４６に落下するようになっている一方、振分ステージ４８，４９における転動面のうち棟よりも凹室３２の側壁側（他の振分ステージ４９，４８とは反対の側）に位置する部分を転動する場合には、振分ステージ４８，４９と凹室３２の側壁面との間から下側ステージ４６に落下するようになっている。
【００３０】
そこにおいて、本実施形態では、一対の振分ステージ４８，４９の間から下側ステージ４６に落下してきた遊技球は、下側ステージ４６に形成されたあみだ状の球通路５０を通って凹室３２の奥側から手前側に向かって転がるようになっている。
【００３１】
このあみだ状の球通路５０は、複数（本実施形態では、三つ）の誘導通路としてのガイド溝５２，５３，５４を含んで構成されている。これら三つのガイド溝５２，５３，５４は、それぞれ、凹室３２の奥行方向にストレートに延びることによって、一つの入口７２，７３，７４に対して出口７５，７６，７７が一つ形成されており、その底面は凹室３２の奥側から手前側へと緩やかに傾斜する傾斜面とされている。また、本実施形態では、隣り合う二つのガイド溝（左端のガイド溝５２と真中のガイド溝５３，真中のガイド溝５３と右端のガイド溝５４）が、共通の側壁５７，５８を有するようにして、三つのガイド溝５２，５３，５４が並んでいる。
【００３２】
なお、本実施形態では、三つのガイド溝５２，５３，５４のうち左端に位置するガイド溝５２における外側の側壁５６と、右端に位置するガイド溝５４における外側の側壁５９は、それぞれ、他の側壁５７，５８、即ち、右端のガイド溝５２と真中のガイド溝５３に共通の側壁５７や左端のガイド溝５４と真中のガイド溝５３に共通の側壁５８よりも高さ寸法が低くされている。
【００３３】
また、三つのガイド溝５２，５３，５４のうち隣り合う二つのガイド溝（左端のガイド溝５２と真中のガイド溝５３，真中のガイド溝５３と右端のガイド溝５４）に共通の側壁５７，５８、即ち、真中のガイド溝５３の両側壁５７，５８には、それぞれ、通路方向（溝が延びる方向）の適当な位置において、連通路としての切欠６０，６１，６２が形成されている。
【００３４】
そこにおいて、切欠６０，６１，６２は、ガイド溝５２，５３，５４の溝幅方向の投影において、互いに重ならない位置に形成されており、特に本実施形態では、真中のガイド溝５３と左端のガイド溝５２に共通の側壁５７に二つ形成されている一方、真中のガイド溝５３と右端のガイド溝５４に共通の側壁５８に一つ形成されており、溝幅方向の投影において、真中のガイド溝５３と左端のガイド溝５２に共通の側壁５７に形成された二つの切欠６０，６１の間に、真中のガイド溝５３と右端のガイド溝５４に共通の側壁５８に形成された一つの切欠６２が位置せしめられるようになっている。
【００３５】
また、本実施形態では、各ガイド溝５２，５３，５４の底壁には、切欠６０，６１，６２の下流端付近において、挿通孔６４が形成されており、かかる挿通孔６４には、障壁としての突出壁６６が挿通配置されている。
【００３６】
突出壁６６は、略一定の断面形状でストレートに延びる、厚肉の板形状を呈している。そこにおいて、本実施形態では、各突出壁６６において、ガイド溝５２，５３，５４の上流側の面６７は、切欠６０，６１，６２寄りの部分が切欠６０，６１，６２から離れた部分よりもガイド溝５２，５３，５４の下流側に位置する傾斜面とされている。換言すれば、各突出壁６６において、ガイド溝５２，５３，５４の上流側の面６７は、切欠６０，６１，６２側に向かって下降傾斜されているのである。
【００３７】
このような突出壁６６は、挿通孔６４に対して凹室３２の底壁の裏側から挿通配置されており、かかる状態で、その下端部分が、センター役物３０に対して適当な取付部材（図示せず）を介して取り付けられたソレノイド６８のプランジャ７０に連結されている。
【００３８】
そして、プランジャ７０が突出している状態では、突出壁６６が底面からガイド溝５２，５３，５４内に突出している一方、プランジャ７０が引っ込んでいる状態では、突出壁６６の突出端面が底面と同じ高さに位置せしめられて、突出壁６６が底面からガイド溝５２，５３，５４内に突出しないようになっている。なお、このことから明らかなように、本実施形態では、各突出壁６６によって、可動壁が構成されている。
【００３９】
このようなあみだ状の球通路５０においては、三つのガイド溝５２，５３，５４の何れかの入口７２，７３，７４から遊技球が入ってくるようになっている。そして、遊技球は、ガイド溝５２，５３，５４を凹室３２の奥側から手前側へ転がってくる際に、ガイド溝５２，５３，５４の底面から突出した突出壁６６に当たると、突出壁６６における接触壁面としての上流側の面６７によって切欠６０，６１，６２のほうへ案内されて、切欠６０，６１，６２を通って隣のガイド溝５２，５３，５４に入るようになっている。
【００４０】
具体的には、左端のガイド溝５２を転がっている遊技球は、切欠６０，６１の下流端付近においてガイド溝５２内に突出する突出壁６６，６６によって、真中のガイド溝５３に導かれるようになっている。また、真中のガイド溝５３を転がっている遊技球は、切欠６０，６１の下流端付近においてガイド溝５３内に突出する突出壁６６，６６によって、左端のガイド溝５２に導かれるようになっている一方、切欠６２の下流端付近においてガイド溝５３内に突出する突出壁６６によって、右端のガイド溝５４に導かれるようになっている。更にまた、右端のガイド溝５４を転がっている遊技球は、切欠６２の下流端付近においてガイド溝５４内に突出する突出壁６６によって、真中のガイド溝５３に導かれるようになっている。
【００４１】
一方、ガイド溝５２，５３，５４の底面から突出壁６６が突出していない場合には、遊技球は同じガイド溝５２，５３，５４内をそのまま転がり続けるようになっている。
【００４２】
そこにおいて、突出壁６６の作動は、ソレノイド６８への通電のＯＮ／ＯＦＦによって制御されるようになっているが、かかるソレノイド６８への通電のＯＮ／ＯＦＦは、パチンコ機１０の作動を制御する主制御回路（図示せず）によって行われるようになっている。特に本実施形態では、ソレノイド６８への通電のＯＮ／ＯＦＦは、パチンコ機１０への電源の供給の開始から終了まで、予め定められた突出作動パターンに基づいて、連続的に繰り返し行われるようになっている。
【００４３】
そして、上述の如く、あみだ状の球通路５０を転がってきた遊技球は、真中のガイド溝５３の出口７６から出てきた場合に、特定入球口としてのＶ入賞口７８に入り、その後、遊技盤１６の裏側に排出されるようになっている。これにより、所定の開閉作動パターンに基づいて、一対の羽根部材３６，３６が作動せしめられることにより、センター役物３０への遊技球の入賞が可能となって、通常の遊技状態よりも多くの賞球を得ることが出来る特別遊技状態としての大当たり遊技状態が発生する。一方、左端のガイド溝５２の出口７５や右端のガイド溝５４の出口７７から出てきた遊技球は、Ｖ入賞口７８に入らずに、排出口８０を通って遊技盤１６の裏側に排出されるようになっている。
【００４４】
また、本実施形態では、振分ステージ４９における転動面のうち棟よりも凹室３２の側壁側（他の振分ステージ４８とは反対の側）に位置する部分を転動して、振分ステージ４９と凹室３２の側壁面との間から下側ステージ４６に落下する遊技球は、スロープ８２を通って、下側ステージ４６に誘導されてくることがある。
【００４５】
そこにおいて、本実施形態の下側ステージ４６には、スロープ８２の出口の近くにおいて、開口窓としての開口穴８４が下側ステージ４６の転動面８６に矩形断面（本実施形態では、長方形）でもって開口形成されており、かかる開口穴８４に臨む位置には、回転体８８が設けられている。
【００４６】
この回転体８８は、図５乃至７に示されているように、厚肉の長手平板形状とされている。そこにおいて、本実施形態の回転体８８は、厚さ方向の寸法が、遊技球の直径や開口穴８４の短辺の寸法よりも僅かに小さくされている一方、幅方向の寸法が、遊技球の直径よりも僅かに大きくされていると共に、開口穴８４の長辺の寸法よりも僅かに小さくされている。
【００４７】
また、本実施形態では、回転体８８の長手方向両端には、長手方向外方に向かって凸となる傾斜面としての円弧状湾曲面９０が形成されている。換言すれば、本実施形態の回転体８８は、長手方向両端において、それぞれ、突出端面が円弧状湾曲面９０とされた突部９２が長手方向外方に突出するようにして一体形成された形状とされており、特に本実施形態では、突部９２の突出寸法は、回転体８８の幅方向中央において最大となっている。また、本実施形態では、各突部９２の形状及び大きさは、互いに同じとされている。なお、円弧状湾曲面９０の曲率は一定である必要はないが、本実施形態では、一定とされている。
【００４８】
更にまた、本実施形態では、回転体８８の幅方向両側面９４，９４のそれぞれが、開口穴８４の内縁形状に沿う外縁形状とされて、開口穴８４の開口形状よりも一回り小さい形状を有する平坦面とされており、特に本実施形態では、幅方向両側面９４，９４は、互いに平行とされている。換言すれば、各側面９４は、回転体８８の長手方向に平行な平坦面とされているのである。
【００４９】
すなわち、本実施形態の回転体８８は、厚さ方向に延びる中心軸線回りの周方向で突部９２と側面９４が交互に形成された形状とされており、特に本実施形態では、厚さ方向に延びる中心軸線回りに１８０度回転させると、一回転したかの如く見えるようになっている。
【００５０】
このような構造とされた回転体８８は、その厚さ方向に延びる中心軸線が開口穴８４の開口方向に対して直交する方向に延びるようにして、開口穴８４の下方に配設されるようになっており、この状態で、回転体８８は、駆動機構としての電動モータ９５によって、その中心軸線を回転中心軸線として、一軸回りに回転せしめられるようになっている。なお、回転体８８の回転は、回転体８８に対して電動モータ９５の出力軸を連結した状態で行っても良いし、適当な減速歯車列を介して行っても良い。
【００５１】
そして、本実施形態では、図６に示されているように、回転体８８に設けられた突部９２が開口穴８４から凹室３２内に突出せしめられた状態で、スロープ８２を通って下側ステージ４６に降りてきた遊技球が突部９２の円弧状湾曲面９０に当たると、遊技球は、下側ステージ４６の転動面８６から飛び上がり、右端のガイド溝５４における外側の側壁５９を飛び越えて、何れかのガイド溝５２，５３，５４に入ることがある。
【００５２】
また、本実施形態では、図６に示されているように、回転体８８に設けられた突部９２が開口穴８４から凹室３２内に突出せしめられた状態から回転体８８が９０度回転すると、図７に示されているように、回転体８８の幅方向での側面９４が開口穴８４内において開口穴８４の開口形状よりも一回り小さい形状（開口穴８４の内縁形状に沿う外縁形状）で下側ステージ４６の転動面８６と同じ高さに位置せしめられることにより、開口穴８４が実質的に塞がれた状態となる。換言すれば、突部９２が開口穴８４を通じて凹室３２内に突出した状態から回転体８８を９０度回転させることにより、回転体８８において開口穴８４に臨む周方向位置を変化させると、開口穴８４が側面９４によって実質的に塞がれた状態となる。なお、このことから明らかなように、本実施形態では、側面９４によって閉鎖面が構成されている。
【００５３】
そして、この状態では、回転体８８の外周面と開口穴８４の内周面との間に形成された隙間が遊技球の直径よりも十分に小さくされていると共に、開口穴８４内に位置せしめられた回転体８８の側面９４と下側ステージ４６の転動面８６が同じ高さにあることから、スロープ８２を通って下側ステージ４６に降りてきた遊技球は、回転体８８の幅方向での側面９４を転がって、右端のガイド溝５４における外側の側壁５９に衝突し、かかる側壁５９に跳ね返された後、下側ステージ４６の転動面８６を排出口８０に向かって転がるようになっている。即ち、開口穴８４が回転体８８の側面９４によって実質的に塞がれた状態では、スロープ８２を通って下側ステージ４６に降りてきた遊技球は、右端のガイド溝５４における外側の側壁５９を乗り越えることはないのである。
【００５４】
なお、本実施形態では、電動モータ９５への通電は、ソレノイド６８への通電と同様に、パチンコ機１０の作動を制御する主制御回路（図示せず）によって行われるようになっており、特に本実施形態では、パチンコ機１０への電源の供給の開始から終了まで継続して行われるようになっている。その結果、本実施形態では、回転体８８は、パチンコ機１０への電源の供給の開始から終了まで一定の回転速度で回転し続けるようになっているのである。
【００５５】
また、本実施形態では、一方の振分ステージ４８における転動面のうち棟よりも凹室３２の側壁側（他の振分ステージ４９とは反対の側）に位置する部分を転動した後、振分ステージ４８と凹室３２の側壁面との間から下側ステージ４６に落下する遊技球は、その落下位置によっては、凹室３２の一方の側面から突出した状態で一軸回りに回転可能に設けられた回転部材９６に当たることがある。そして、かかる回転部材９６に設けられた板ばね９８に当たった遊技球は、左端のガイド溝５２における外側の側壁５６を飛び越えて、何れかのガイド溝５２，５３，５４に入ることがある。
【００５６】
このような構造とされたパチンコ機１０においては、センター役物３０に入賞した遊技球は、下側ステージ４６に形成されたあみだ状の球通路５０を通る際において、その転動方向が突出壁６６によって変化せしめられるようになっていることから、遊技球の動きに遊技者の興味を惹きつけて遊技者を楽しませることが可能となる。
【００５７】
そこにおいて、本実施形態では、振分ステージ４９における転動面のうち棟よりも凹室３２の側壁側（他の振分ステージ４８とは反対の側）に位置する部分を転動して、振分ステージ４９と凹室３２の側壁面との間から下側ステージ４６に落下する遊技球が、スロープ８２を通って下側ステージ４６に誘導されてきた際、突部９２が転動面８６上に突出していれば、遊技球は、突部９２に当たることによって、転動面８６から飛び上がり、右端のガイド溝５４における外側の側壁５９を飛び越えて、何れかのガイド溝５２，５３，５４に入ることがある、即ち、一対の振分ステージ４８，４９の間から下側ステージ４６に落下しなかった遊技球にあみだ状の球通路５０を転動する可能性を残すことが可能となるのである。その結果、一対の振分ステージ４８，４９の間から下側ステージ４６に遊技球が落下しなかった場合でも、振分ステージ４９上を遊技球が凹室３２の側壁面のほうへ転動している場合には、遊技球があみだ状の球通路５０を転動するかもしれないという期待を遊技者に抱かせることが可能となる。なお、このことから明らかなように、入賞口３８からセンター役物３０内に入ってきた遊技球がＶ入賞口７８に至る球経路上において遊技球が転動する転動面８６に開口穴８４が開口形成されており、かかる開口穴８４に臨む位置において、回転体８８が配設されているのである。
【００５８】
一方、突部９２が突出していない状態では、開口穴８４が回転体８８の側面９４によって実質的に塞がれていることから、開口穴８４に遊技球が嵌まり込んで停留してしまうことが有利に回避され得る。
【００５９】
すなわち、本実施形態では、突部９２が回転体８８の一軸回りの回転によって開口穴８４内から退避せしめられた後、回転体８８の回転中心軸線回りの周方向で隣に位置する側面９４が開口穴８４内に位置せしめられるようになっている、換言すれば、突部９２を開口穴８４の開口方向（転動面８６に垂直な方向）に移動させないようになっていることから、傾斜面（円弧状湾曲面９０）を備えた突部９２を採用した場合であっても、開口穴８４に遊技球が嵌まり込んで停留してしまうことを有利に回避することが出来るのである。
【００６０】
また、本実施形態では、スロープ８２を通って下側ステージ４６に誘導されてきた遊技球の下側ステージ４６の転動面８６上での転動方向と回転体８８の回転方向が略一致していることから、回転体８８の円弧状湾曲面９０を遊技球が上りきれなくなったり、回転体８８が遊技球を噛み込んでしまう不具合を有利に回避することが可能となる。
【００６１】
以上、本発明の一実施形態について詳述してきたが、これはあくまでも例示であって、本発明は、かかる実施形態における具体的な記載によって、何等、限定的に解釈されるものではない。
【００６２】
例えば、図８及び図９に示されているように、傾斜面が半球面９９とされた半球形状の突部１００と円形の閉鎖面１０４を備えた回転体１０２を採用することも可能である。この場合、突部１００の転動面８６からの突出状態を有利に実現するためには、底壁内に回転体１０２の回転中心軸を位置せしめる必要があることから、図８及び図９に示されているように、二重構造の底壁１０６，１０８を採用することが望ましい。これにより、回転体１０２の回転中心軸を駆動するための電動モータや減速歯車列等の配設スペースを有利に確保することが可能となる。なお、理解を容易にするために、図８及び図９において、前記実施形態と同様な構造とされた部材及び部位については、前記実施形態と同一の符号を付してある。
【００６３】
また、回転体の外観形状はブロック形状に限定されるものではなく、例えば、回転中心軸から軸直角方向外方に突出するロッドの先端に突部や閉鎖面が形成された外観形状を呈する回転体を採用することも、勿論可能である。
【００６４】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００６５】
【図１】本発明の一実施形態としてのパチンコ機を示す正面図。
【図２】同パチンコ機で採用されているセンター役物の正面図。
【図３】図２におけるＩＩＩ−ＩＩＩ方向の断面図であって、その要部を示す断面図。
【図４】図２におけるＩＶ−ＩＶ方向の断面図であって、その要部を示す断面図。
【図５】図４におけるＶ−Ｖ方向の断面図であって、その要部を示す断面図。
【図６】図２のセンター役物に組み付けられている回転体の作動状態を説明するための説明図。
【図７】同回転体の他の作動状態を説明するための説明図。
【図８】本発明で採用可能な回転体の他の態様を説明するための断面図であって、回転体における突部が突出した状態を示す断面図。
【図９】本発明で採用可能な回転体の他の態様を説明するための断面図であって、回転体における閉鎖面が開口穴を塞いでいる状態を示す断面図。
【符号の説明】
【００６６】
１０：パチンコ機，３０：センター役物，３８：入賞口，４０：始動入賞装置，７８：Ｖ入賞口，８４：開口穴，８６：転動面，８８：回転体，９０：円弧状湾曲面，９２：突部，９４：側面
【図１】
2008264110.tif 000003
【図２】
2008264110.tif 000004
【図３】
2008264110.tif 000005
【図４】
2008264110.tif 000006
【図５】
2008264110.tif 000007
【図６】
2008264110.tif 000008
【図７】
2008264110.tif 000009
【図８】
2008264110.tif 000010
【図９】
2008264110.tif 000011